(57)【要約】【課題】パネル材の開口部に対する配線器具の取り付け作業性の向上を図る。【解決手段】パネル材Ｐの開口部Ｈ周縁の表面側に接触させる保持プレート３と、開口部Ｈ周縁の背面側に接触させる受け金具４とでパネル材Ｐを挟み、ねじ部材５の締め付けにより、開口部Ｈ内に配線器具２を取り付けるものである。受け金具４は、上片部７および下片部８の一端部を連結する連結片部９が、第一分割片部１０と第二分割片部１１とに分割される。第一分割片部１０に設けた係合部１２が第二分割片部１１に形成されるスリット１３内を移動可能に係合する。第一分割片部１０が長さ方向に沿う補強リブ４ａを有し、第二分割片部１１が長さ方向に沿う係合リブ１１ａを有する。第一分割片部１０と第二分割片部１１とが同一直線上に位置する状態で、係合リブ１１ａが補強リブ４ａに嵌め合わされるようになっている。【選択図】図１
2019221108.tif 000002
【特許請求の範囲】
【請求項１】
パネル材の開口部周縁の表面側に接触させ、前記開口部内に配線器具（２）を保持する保持プレート（３）と、前記パネル材の開口部周縁の背面側に接触させる受け金具（４）と、前記パネル材を挟む状態に前記保持プレート（３）と前記受け金具（４）をねじ結合するねじ部材（５）とを備え、
前記保持プレート（３）は、前記パネル材の開口部内の上部および下部に位置する挿通孔（６ａ、６ｂ）を有し、前記受け金具（４）は、前記パネル材の開口部周縁の背面側上部および下部に沿う上片部（７）および下片部（８）と、その上片部（７）および下片部（８）の一端部を連結する連結片部（９）とを有し、前記上片部（７）および下片部（８）の他端部に、前記パネル材の開口部内に位置するめねじ部（７ａ、８ａ）が形成されている配線器具取り付け具において、
前記受け金具（４）の連結片部（９）が長さ方向に分割した第一分割片部（１０）と第二分割片部（１１）とからなり、前記第一分割片部（１０）および第二分割片部（１１）のいずれか一方が、長さ方向に形成されたスリット（１３）を有し、他方が前記スリット（１３）内を長さ方向に移動可能に係合する係合部（１２）を有し、前記係合部（１２）により前記第一分割片部（１０）および第二分割片部（１１）が相互に回動可能に連結されていることを特徴とする配線器具取り付け具。
【請求項２】
前記係合部（１２）が押さえ片部（１２ｂ）を有し、その押さえ片部（１２ｂ）は、前記一方を前記他方との間で挟む状態で、前記一方を前記他方に向かって押し付けるように付勢されていることを特徴とする請求項１に記載された配線器具取り付け具。
【請求項３】
前記第一分割片部（１０）が前記係合部（１２）と、長さ方向に沿って表面側から裏面側に向かって突出する補強リブ（４ａ）とを有し、前記第二分割片部（１１）が前記スリット（１３）と、長さ方向に沿って表面側から裏面側に向かって突出する係合リブ（１１ａ）とを有し、
前記第一分割片部（１０）と前記第二分割片部（１１）とが同一直線上に位置する状態で、前記係合リブ（１１ａ）が前記補強リブ（４ａ）に嵌め合わされることを特徴とする請求項２に記載の配線器具取り付け具。
【請求項４】
前記係合部（１２）の押さえ片部（１２ｂ）が裏面側から表面側へ向かって突出する突条（１２ｃ）を有し、その突条（１２ｃ）が前記第一分割片部（１０）の長さ方向に沿って形成されていることを特徴とする請求項３に記載の配線器具取り付け具。
【請求項５】
パネル材の開口部内に配線器具（２）を保持する保持プレート（３）を、ねじ部材（５）のねじ結合により、前記開口部周縁の表面側に固定するものであり、
前記パネル材の開口部周縁の背面側上部および下部のそれぞれに沿う上片部（７）および下片部（８）と、その上片部（７）および下片部（８）の一端部を連結する連結片部（９）とを有し、前記上片部（７）および下片部（８）の他端部に、前記パネル材の開口部内に位置するめねじ部（７ａ、８ａ）が形成された配線器具取り付け具の受け金具において、
前記連結片部（９）が、長さ方向に分割した第一分割片部（１０）と第二分割片部（１１）とからなり、前記第一分割片部（１０）および第二分割片部（１１）のいずれか一方が、長さ方向に形成されたスリット（１３）を有し、他方が前記スリット（１３）内を長さ方向に移動可能に係合する係合部（１２）を有し、
前記係合部（１２）により前記第一分割片部（１０）および第二分割片部（１１）が相互に回動可能に連結されている配線器具取り付け具の受け金具。
【発明の詳細な説明】
【技術分野】
【０００１】
この発明は、パネル材からなる壁体や柱部にコンセントやスイッチなどの配線器具を取り付けるための配線器具取り付け具と、その受け金具に関する。
【背景技術】
【０００２】
建物の改装や家屋のリフォームの際、必要に応じて、壁体や柱部を形成するパネル材に電源用コンセント、ＬＡＮ用モジュラージャック、あるいは電気スイッチ等の配線器具が新設されることがある。
【０００３】
配線器具の新設では、パネル材からなる壁体や柱部の任意の位置に配線器具の規格に応じた矩形の開口部が形成され、開口部内に配線器具が配線器具取り付け具により固定される。
【０００４】
例えば、図９に示す配線器具取り付け具３１は、配線器具３２を保持し、パネル材Ｐの開口部Ｈ周縁の表面側に接触する保持プレート３３と、開口部Ｈ周縁の背面側に接触させるＣ型をなす受け金具３４と、これらをねじ結合するねじ部材３５とを備えたものが使用されている。
【０００５】
保持プレート３３は、配線器具３２が保持される保持孔部３６と、保持孔部３６周縁の上部および下部に形成され、ねじ部材３５のねじ部が通る挿通孔３６ａ、３６ｂとを有する。
【０００６】
受け金具３４は、パネル材Ｐの開口部Ｈ周縁の背面側上部および下部にそれぞれに沿う上片部３７および下片部３８と、上片部３７および下片部３８の同じ側の端部（一端部）を連結する連結片部３９とを有する。上片部３７および下片部３８の他端部には、パネル材Ｐの開口部Ｈ内に位置するめねじ部３７ａ、３８ａが形成されている。
【０００７】
配線器具取り付け具３１は、パネル材Ｐの開口部Ｈに取り付けの際、まず、保持プレート３３上部の挿通孔３６ａに通したねじ部材３５を、受け金具３４の上片部３７のめねじ部３７ａにねじ込み、保持プレート３３と受け金具３４をねじ部材３５で連結する。
【０００８】
続いて、図９中の実線に示すように、連結片部３９を傾けて、受け金具３４をパネル材Ｐの開口部Ｈ内に通し、保持プレート３３の上部および下部を、パネル材Ｐの開口部Ｈ周縁の表面側上部および下部に接触させる。
【０００９】
この接触状態を維持しながら、保持プレート３３の外側と受け金具３４の連結片部３９との間から、パネル材Ｐの開口部Ｈにドライバー等の工具Ｔを差し込む。図１０（ａ）に示すように、差し込んだ工具Ｔにより、受け金具３４の連結片部３９を上下方向に配置し、保持プレート３３の下部の挿通孔３６ｂに対して、受け金具３４の下片部３８のめねじ部３８ａの位置が合う状態に維持する。
【００１０】
そして、保持プレート３３の下部の挿通孔３６ｂに通したねじ部材３５を受け金具３４の下片部３８のめねじ部３８ａにねじ込む。最後に、図１０（ｂ）に示すように、上側および下側のねじ部材３５の本締めを行い、配線器具取り付け具３１をパネル材Ｐの開口部Ｈに取り付ける。
【００１１】
しかしながら、配線器具取り付け具３１は、差し込んだ工具Ｔにより、保持プレート３３の下部の挿通孔３６ｂと、受け金具３４の下片部３８のめねじ部３８ａとの位置合わせを行う必要がある。
【００１２】
さらに、この位置合わせは、暗く視認し難いパネル材Ｐの開口部Ｈの背面側で行わねばならない。また、受け金具３４が動かないように工具Ｔを固定しつつ、ねじ部材３５をねじ込む必要があり、取り付けの作業性に問題があった。
【００１３】
この取り付けの作業性の問題を解決するための配線器具取り付け具として、コンセント（配線器具）を保持するコンセント取付け金具（保持プレート）と、Ｃ型はさみ金具（受け金具）と、これらをねじ結合する取付けネジ（ねじ部材）とを備え、受け金具のめねじにストッパ付き取付けガイド紐を取り付けたものがある（例えば、特許文献１参照）。
【００１４】
特許文献１に記載の配線器具取り付け具は、パネル材Ｐの開口部Ｈに取り付ける際、ストッパ付き取付けガイド紐を引っ張ることで、受け金具の下片部のめねじと保持プレートの下辺部の長孔との位置合わせを行うことできる。
【先行技術文献】
【特許文献】
【００１５】
【特許文献１】実用新案登録第３１７０６８８号公報
【発明の概要】
【発明が解決しようとする課題】
【００１６】
しかしながら、特許文献１に記載された配線器具取り付け具は、上述の配線器具取り付け具３１と同様に、依然として、暗く視認し難いパネル材Ｐの開口部Ｈの裏側で、ねじ部材を受け金具の下片部のめねじ部へねじ込む必要があり、取り付けの作業性に改善の余地がある。
【００１７】
そこで、この発明の解決すべき課題としては、パネル材の開口部に対する配線器具の取り付け作業性の向上を図ることにある。
【課題を解決するための手段】
【００１８】
前記の課題を解決するために、この発明に係る配線器具取り付け具は、パネル材の開口部周縁の表面側に接触させ、前記開口部内に配線器具を保持する保持プレートと、前記パネル材の開口部周縁の背面側に接触させる受け金具と、前記パネル材を挟む状態に前記保持プレートと前記受け金具をねじ結合するねじ部材とを備え、前記保持プレートは、前記パネル材の開口部内の上部および下部に位置する挿通孔を有し、前記受け金具は、前記パネル材の開口部周縁の背面側上部および下部に沿う上片部および下片部と、その上片部および下片部の一端部を連結する連結片部とを有し、前記上片部および下片部の他端部に、前記パネル材の開口部内に位置するめねじ部が形成されている配線器具取り付け具において、前記受け金具の連結片部が長さ方向に分割した第一分割片部と第二分割片部とからなり、前記第一分割片部および第二分割片部のいずれか一方が、長さ方向に形成されたスリットを有し、他方が前記スリット内を長さ方向に移動可能に係合する係合部を有し、前記係合部により前記第一分割片部および第二分割片部が相互に回動可能に連結されている構成を採用することができる。
【００１９】
この構成では、保持プレートの上下の挿通孔にそれぞれ挿通したねじ部材を、受け金具の上片部および下片部のめねじ部にねじ込み、保持プレートと受け金具とを上下のネジ部材で連結する。
【００２０】
この連結状態で、前記他方の係合部を前記一方のスリット内に沿って、上片部または下片部の他端部へ移動させる。このとき、受け金具の上片部のめねじ部と下片部のめねじ部との間隔を、保持プレートの上下の挿通孔の間隔よりも小さくなるように、上側及び下側のねじ部材を傾かせる。
【００２１】
上側および下側のねじ部材を傾かせた状態で、受け金具をパネル材の開口部内に入れる。そして、前記他方の係合部を前記一方のスリット内に沿って移動させ、第一分割片部と第二分割片部とを同一直線上に位置させる。
【００２２】
この位置関係で、保持プレートと受け金具とをパネル材を挟む状態にねじ部材で仮止めする。その後、上下のねじ部材を本締めすることで、パネル材の開口部に容易に配線器具を取り付けることができる。
【００２３】
この構成において、前記係合部が押さえ片部を有し、その押さえ片部は、前記一方を前記他方との間で挟む状態で、前記一方を前記他方に向かって押し付けるように付勢されている構成を採用することができる。
【００２４】
この構成によると、係合部の押さえ片部により、前記他方に対する前記一方の係合位置を維持することができる。
【００２５】
また、係合部が押さえ片部を有する構成において、前記第一分割片部が前記係合部と、長さ方向に沿って表面側から裏面側に向かって突出する補強リブとを有し、前記第二分割片部が前記スリットと、長さ方向に沿って表面側から裏面側に向かって突出する係合リブとを有し、前記第一分割片部と前記第二分割片部とが同一直線上に位置する状態で、前記係合リブが前記補強リブに嵌め合わされる構成を採用することができる。
【００２６】
この構成では、第一分割片部の補強リブに対して第二分割片部の係合リブが嵌め合わされると、第一分割片部と第二分割片部とが同一直線上に位置する状態に維持される。
【００２７】
また、前記係合部の押さえ片部が裏面側から表面側へ向かって突出する突条を有し、その突条が前記第一分割片部の長さ方向に沿って形成されている構成を採用すると、係合部の押さえ片部は第二分割片部との接触面積をより小さくすることができる。
【００２８】
また、前記の課題を解決するために、この発明に係る配線器具取り付け具の受け金具は、パネル材の開口部内に配線器具を保持する保持プレートを、ねじ部材のねじ結合により、前記開口部周縁の表面側に固定するものであり、前記パネル材の開口部周縁の背面側上部および下部のそれぞれに沿う上片部および下片部と、その上片部および下片部の一端部を連結する連結片部とを有し、前記上片部および下片部の他端部に、前記パネル材の開口部内に位置するめねじ部が形成された配線器具取り付け具の受け金具において、前記連結片部が、長さ方向に分割した第一分割片部と第二分割片部とからなり、前記第一分割片部および第二分割片部のいずれか一方が、長さ方向に形成されたスリットを有し、他方が前記スリット内を長さ方向に移動可能に係合する係合部を有し、前記係合部により前記第一分割片部および第二分割片部が相互に回動可能に連結されている構成を採用することができる。
【発明の効果】
【００２９】
以上のように、この発明は、保持プレートと受け金具とを上側および下側のねじ部材で連結した状態で、その受け金具を容易にパネル材の開口部に入れることができる。また、上側および下側のねじ部材で保持プレートと受け金具が連結されているので、暗く視認し難いパネル材Ｐの開口部Ｈの裏側でねじ部材をねじ込む必要がない。
【００３０】
さらに、前記他方の係合部を前記一方のスリット内に沿って、上片部または下片部の一端部へ移動させることで、第一分割片部と第二分割片部とを容易に同一直線上に位置させることができる。
【００３１】
第一分割片部と第二分割片部とを容易に同一直線上に位置させて、パネル材を挟む状態に保持プレートと受け金具とを仮止めし、上下のねじ部材を本締めすることで、パネル材の開口部に容易に配線器具を取り付けることができる。
【図面の簡単な説明】
【００３２】
【図１】この発明の第一の実施形態に係る配線器具取り付け具を示す斜視図
【図２】（ａ）同上の受け金具を示す正面図、（ｂ）同上の受け金具を示す側面図
【図３】同上の第一分割片部および第二分割片部の要部を示す分解斜視図
【図４】（ａ）同上の第一分割片部および第二分割片部の係合状態を示す拡大背面図、（ｂ）図４（ａ）のＡ−Ａ線における断面図、（ｃ）同上の第一分割片部および第二分割片部の係合状態を示す拡大側面図
【図５】（ａ）同上の受け金具をパネル材の開口部内に入れた状態を示す側面図、（ｂ）同上の配線器具取り付け具の使用状態を示す側面図
【図６】（ａ）同上の受け金具をパネル材の開口部周縁に配置する前の状態を示す正面図、（ｂ）同上の受け金具をパネル材の開口部周縁に配置した状態を示す正面図
【図７】第二の実施形態に係る配線器具取り付け具の第一分割片部および第二分割片部の要部を示す分解斜視図
【図８】（ａ）同上の第一分割片部および第二分割片部の係合状態を示す拡大背面図、（ｂ）図８（ａ）のＢ−Ｂ線における断面図、（ｃ）同上の第一分割片部および第二分割片部の係合状態を示す拡大側面図
【図９】従来の配線器具取り付け具を示す斜視図
【図１０】（ａ）同上の受け金具をパネル材の開口部周縁に配置している状態を示す正面図、（ｂ）同上の配線器具取り付け具の取り付け状態を示す側面図
【発明を実施するための形態】
【００３３】
以下、この発明の実施形態を添付図面に基づいて説明する。第一の実施形態に係る配線器具取り付け具１は、図１に示すように、パネル材Ｐからなる壁体や柱部の任意の位置に形成された矩形の開口部Ｈ内に配線器具を取り付けるためのものである。
【００３４】
配線器具取り付け具１は、配線器具２が保持され、パネル材Ｐの開口部Ｈ周縁の表面側に接触させた保持プレート３と、開口部Ｈ周縁の背面側に接触させるＣ型をなす受け金具４と、これらをねじ結合する２本のねじ部材５とを備えている。
【００３５】
配線器具２は、直方体をなすボックス型の電源コンセントであり、必要なコードＣ類が配線されている（図５参照）。配線器具２は、保持プレート３に形成された保持孔部６内に嵌め合わされた状態で保持されている。なお、配線器具２としては、電源コンセントに限られず、ＬＡＮ用モジュラージャックや電気スイッチ等を適用することができる。
【００３６】
保持プレート３は、矩形の金属片を加工したものであり、配線器具２が保持される矩形の保持孔部６と、保持孔部６周縁の上部および下部に形成され、ねじ部材５のねじ部が通る挿通孔６ａ、６ｂとを有する。
【００３７】
保持孔部６は、対向一対の長辺側内周縁が保持プレート３の長さ方向（上下方向）に沿い、対向一対の短辺側内周縁が保持プレート３の幅方向（左右方向）に沿う位置に形成されている。
【００３８】
挿通孔６ａ、６ｂは、保持孔部６の短辺側内周縁に沿う長孔であり、パネル材Ｐの開口部Ｈ内の上部および下部に位置するように形成されている。
【００３９】
受け金具４は、金属板を加工した帯状部材からなり、図２（ａ）に示すように、上片部７と、下片部８と、上片部７および下片部８の同じ側の端部（一端部）を連結する連結片部９とを有する。上片部７および下片部８は、連結片部９に対して反対側の端部（他端部）が上下方向内向きに延び出しており、その延出部分にめねじ部７ａおよびめねじ部８ａが形成されている。
【００４０】
上片部７は、幅方向中央部分に長さ方向に沿って形成される補強リブ７ｂを有する。補強リブ７ｂは、上片部７を表面側から裏面側に向かって突出するように断面円弧状に湾曲して形成されている。
【００４１】
連結片部９は、長さ方向に二分割した第一分割片部１０と第二分割片部１１とを有する。第一分割片部１０は、下片部８の一端部において、下片部８と一体に形成され、下片部８に対して直角に配置されている。
【００４２】
第一分割片部１０は、下片部８と反対側の端部（上端部）に、第二分割片部１１に形成されたスリット１３に係合する係合部１２を有する。係合部１２は、図３に示すように、第一分割片部１０の裏面側に向かって延びる係合基部１２ａと、係合基部１２ａから下片部８に向かって延び出す押さえ片部１２ｂとからなる。
【００４３】
係合基部１２ａは、図４（ｃ）に示すように、第二分割片部１１の表面側から裏面側に向かってスリット１３内を貫通し、スリット１３に沿ってスライド可能となっている。押さえ片部１２ｂは、第一分割片部１０と同じ幅を有し、第一分割片部１０の裏面側において、係合基部１２ａから下片部８へ向かって延び出している。
【００４４】
押さえ片部１２ｂは、係合基部１２ａを中心に第一分割片部１０に対して接近または離間する向きに弾性をもって揺動する。押さえ片部１２ｂは、第一分割片部１０に接近する向きに付勢されている。
【００４５】
下片部８および第一分割片部１０は、図２（ａ）に示すように、幅方向中央部分に補強リブ４ａを有する。補強リブ４ａは、下片部８の他端部から一端部を経て、第一分割片部１０の係合部１２の係合基部１２ａに至る範囲に設けられている。
【００４６】
また、補強リブ４ａは、図４（ｂ）に示すように、下片部８および第一分割片部１０を表面側から裏面側に向かって突出するように断面円弧状に湾曲して形成されている。
【００４７】
第二分割片部１１は、上片部７の一端部において、上片部７と一体に形成され、上片部７に対して直角に配置されている。第二分割片部１１は、幅方向中央部分に長さ方向に沿うスリット１３を有する。
【００４８】
スリット１３は、第一分割片部１０の係合基部１２ａと同じか、わずかに大きい幅を有し、上片部７側の端部（上端部）に幅広部１３ａを有する。幅広部１３ａは、上片部７の他端部側へ向かってスリット１３よりも幅広に形成されている。
【００４９】
幅広部１３ａは、スリット１３に沿って、第一分割片部１０の押さえ片部１２ｂの幅と同じ大きさとなる範囲に形成されている。スリット１３のうち、幅広部１３ａと幅広部１３ａ以外の他の部分との間において、上片部７の他端部側の縁部がテーパ状をなしている。
【００５０】
また、図３に示すように、第二分割片部１１は、その長さ方向に沿って、上片部７との反対側の先端部（下端部）に係合リブ１１ａを有する。係合リブ１１ａは、幅方向中央部分に表面側から裏面側に向かって突き出すように断面円弧状に湾曲して形成されている。
【００５１】
係合リブ１１ａは、第一分割片部１０と第二分割片部１１とが同一直線上に位置する状態で、その表面が補強リブ４ａの裏面に接するように、第一分割片部１０の補強リブ４ａにすき間なく嵌り合う幅を有している（図４（ｂ）参照）。
【００５２】
第二分割片部１１のスリット１３に第一分割片部１０の係合部１２を係合することで、第一分割片部１０および第二分割片部１１は相互に回動可能に連結され、連結片部９を構成する。
【００５３】
図４に示すように、第一分割片部１０と第二分割片部１１とが同一直線上に位置する状態で、かつ係合リブ１１ａが補強リブ４ａにすき間なく嵌り合う状態で、押さえ片部１２ｂと第一分割片部１０との間隔ｔは、係合リブ１１ａを含む第二分割片部１１の厚さと同じ大きさを有する。
【００５４】
第一分割片部１０と第二分割片部１１とが同一直線上に位置する状態で、かつ係合リブ１１ａが補強リブ４ａにすき間なく嵌り合う状態で、押さえ片部１２ｂは、弾性によって、第二分割片部１１を第一分割片部１０へ向かって押し付ける。
【００５５】
ねじ部材５は、頭部とねじ部とを有し、上側と下側の２本使用される。ねじ部の全長にわたって、等ピッチに同一の外径となるおねじが形成されている。
【００５６】
第一の実施形態に係る配線器具取り付け具１の構成は以上のようなものである。次に、パネル材Ｐの開口部Ｈへの取り付け方法を図面に基づいて説明する。
【００５７】
まず、配線器具取り付け具１は、保持プレート３の挿通孔６ａに上側のねじ部材５を通し、その上側のねじ部材５を受け金具４の上片部７のめねじ部７ａにねじ込む。また、保持プレート３の挿通孔６ｂに下側のねじ部材５を通し、その下側のねじ部材５を受け金具４の下片部８のめねじ部８ａにねじ込む。
【００５８】
上側のねじ部材５および下側のねじ部材５により、保持プレート３と受け金具４は相互に連結した状態となる。このとき、上側のねじ部材５および下側のねじ部材５は、頭部と反対側の軸端部分において、めねじ部７ａおよびめねじ部８ａにねじ込まれている。
【００５９】
ここで、受け金具４は、係合部１２の押さえ片部１２ｂが保持プレート３に対して反対側に位置するように、保持プレート３に連結されている。保持プレート３と受け金具４とを連結した状態で、第一分割片部１０の係合部１２を、第二分割片部１１のスリット１３内の上片部７寄りへ移動させる。
【００６０】
この移動の際、図１に示すように、第二分割片部１１の係合リブ１１ａを下片部８のめねじ部８ａ側に位置させる。また、第二分割片部１１の上片部７寄りの部分を、係合部１２の押さえ片部１２ｂと第一分割片部１０の補強リブ４ａとの間に位置させる。
【００６１】
さらに、上片部７のめねじ部７ａと下片部８のめねじ部８ａとの間隔が保持プレートの挿通孔６ａと挿通孔６ｂとの間隔よりも小さくなるように、上側のねじ部材５と下側のねじ部材５を傾かせる。
【００６２】
次に、上側のねじ部材５と下側のねじ部材５を傾かせた状態を保持しつつ、受け金具４をパネル材Ｐの開口部Ｈ内に入れる（図５（ａ）参照）。その後、保持プレート３の上部および下部を、パネル材Ｐの開口部Ｈ周縁の表面側上部および下部に接触させる。
【００６３】
この接触状態を維持しながら、保持プレート３の外側と受け金具４の第一分割片部１０との間から、パネル材Ｐの開口部Ｈにドライバー等の工具Ｔを差し込む。差し込んだ工具Ｔを開口部Ｈの周縁に沿って上下に移動させ、第一分割片部１０の係合部１２を第二分割片部１１のスリット１３内に沿って移動させ、第一分割片部１０と第二分割片部１１とを同一直線上に位置させる（図６（ｂ）参照）。
【００６４】
同一直線上に位置する第一分割片部１０と第二分割片部１１とは、係合リブ１１ａの表面が補強リブ４ａの裏面に接するように係合リブ１１ａが補強リブ４ａにすき間なく嵌り合う状態となる。この状態で、図４に示すように、係合部１２の押さえ片部１２ｂは、第二分割片部１１のうち、係合リブ１１ａが形成された部分を第一分割片部１０に押し付ける。
【００６５】
押さえ片部１２ｂの押し付けにより、第一分割片部１０と第二分割片部１１とが、同一直線上に位置する状態に維持される。そして、同一直線上となる位置に維持される第一分割片部１０と第二分割片部１１とから構成される連結片部９を、開口部Ｈの背面側周縁部側方に配置させる。
【００６６】
続いて、上側および下側のねじ部材５を締め付けて、パネル材Ｐを挟む状態に保持プレート３と受け金具４とを仮止めする。その後、図５（ｂ）に示すように、開口部Ｈに対する配線器具２の位置を微調整して、上側および下側のねじ部材５を本締めする。これにより、パネル材Ｐの開口部Ｈ周縁の背面側に受け金具４を接触させ、パネル材Ｐの開口部Ｈに配線器具２を取り付けることができる。
【００６７】
上述のように、第一の実施形態に係る配線器具取り付け具１は、受け金具４をパネル材Ｐの開口部Ｈに入れる前に、上側のねじ部材５および下側のねじ部材５により、保持プレート３と受け金具４は相互に連結した状態としている。このため、パネル材Ｐの開口部Ｈ内に位置する受け金具４にねじ部材５を締め付ける作業が不要となる。
【００６８】
また、パネル材Ｐの開口部Ｈ内の受け金具４は、工具Ｔを開口部Ｈの周縁に沿って上下に移動させると、第一分割片部１０と第二分割片部１１とを同一直線上に位置させることができる。
【００６９】
さらに、係合部１２の押さえ片部１２ｂにより、係合リブ１１ａと補強リブ４ａとがすき間なく嵌り合う第一分割片部１０および第二分割片部１１を同一直線上に位置する状態に維持することができる。
【００７０】
以上のように、第一の実施形態に係る配線器具取り付け具１は、パネル材Ｐの開口部Ｈに容易に配線器具を取り付けることができる。
【００７１】
なお、この実施形態の受け金具４においては、第一分割片部１０が係合部１２を有し、第二分割片部１１がスリット１３を有するものであるが、例えば、第一分割片部１０がスリット１３を有し、第二分割片部１１が係合部１２を有するものとしてもよい。要は、第一分割片部１０および第二分割片部１１のいずれか一方が、長さ方向に形成されたスリット１３を有し、他方がスリット１３内を長さ方向に移動可能に係合する係合部１２を有するものであればよい。
【００７２】
また、この実施形態の受け金具４は、第一分割片部１０に補強リブ４ａを有し、第二分割片部１１に係合リブ１１ａを有しているが、これに限られない。例えば、受け金具４は、補強リブ４ａおよび係合リブ１１ａを有していないものとしてもよい。
【００７３】
この場合、係合部１２の押さえ片部１２ｂが、第二分割片部１１のうち、上片部７と反対側の先端部分を第一分割片部１０に向かって押し付けるようになっている。
【００７４】
次に、この発明に係る第二の実施形態を図７、８に基づいて説明する。
第二の実施形態の配線器具取り付け具１は、第一分割片部１０の係合部１２の押さえ片部１２ｂが、突条１２ｃを有する点で、上述の第一の実施形態と相違する。その他の構成については、第一の実施形態の構成と同じと考えられるものは、同じ符号を付してその説明を省略する。
【００７５】
すなわち、この実施形態において、係合部１２の押さえ片部１２ｂは、突条１２ｃが第一分割片部１０の長さ方向に沿って形成されたものである。突条１２ｃは、押さえ片部１２ｂに対して、補強リブ４ａとの対向面の反対面側（裏面側）から補強リブ４ａとの対向面側（表面側）に向かって突出し、断面円弧状に湾曲するように形成される。
【００７６】
この実施形態において、第一分割片部１０と第二分割片部１１とが同一直線上に位置する状態で、かつ係合リブ１１ａが補強リブ４ａにすき間なく嵌り合う状態で、押さえ片部１２ｂの突条１２ｃと、第一分割片部１０との間隔ｔは、係合リブ１１ａを含む第二分割片部１１の厚さと同じ大きさを有する（図８（ｂ）参照）。
【００７７】
第一分割片部１０と第二分割片部１１とが同一直線上に位置する状態で、かつ係合リブ１１ａが補強リブ４ａにすき間なく嵌り合う状態で、押さえ片部１２ｂの突条１２ｃは、第一分割片部１０に向かって第二分割片部１１を押し付ける。
【００７８】
押さえ片部１２ｂに突条１２ｃが形成されていると、押さえ片部１２ｂは、第二分割片部１１との接触面積を上述の第一の実施形態の場合よりも小さくすることができる。このため、受け金具４の連結片部９において、相互に連結された第一分割片部１０と第二分割片部１１をスムーズに回動させ、容易に同一直線上に位置させることができる。
【符号の説明】
【００７９】
１  配線器具取り付け具
２  配線器具
３  保持プレート
４  受け金具
４ａ  補強リブ
５  ねじ部材
６  保持孔部
６ａ、６ｂ  挿通孔
７  上片部
７ａ  めねじ部
７ｂ  補強リブ
８  下片部
８ａ  めねじ部
９  連結片部
１０  第一分割片部
１１  第二分割片部
１１ａ  係合リブ
１２  係合部
１２ａ  係合基部
１２ｂ  押さえ片部
１２ｃ  突条
１３  スリット
１３ａ  幅広部
３１  配線器具取り付け具
３２  配線器具
３３  保持プレート
３４  受け金具
３５  ねじ部材
３６  保持孔部
３６ａ、３６ｂ  挿通孔
３７  上片部
３７ａ  めねじ部
３８  下片部
３８ａ  めねじ部
３９  連結片部
Ｃ  コード
Ｐ  パネル材
Ｔ  工具
Ｈ  開口部
ｔ  間隔
【図１】
2019221108.tif 000003
【図２】
2019221108.tif 000004
【図３】
2019221108.tif 000005
【図４】
2019221108.tif 000006
【図５】
2019221108.tif 000007
【図６】
2019221108.tif 000008
【図７】
2019221108.tif 000009
【図８】
2019221108.tif 000010
【図９】
2019221108.tif 000011
【図１０】
2019221108.tif 000012